(57)【要約】      （修正有）【課題】ワンタッチで開脚と閉脚ができ、移動や収納も迅速に行えて、且つ小型軽量化も可能な三脚を提供する。【解決手段】  一般的な三脚や三脚式スタンドは、その脚部が半固定式に作られ、一定の力を加えて初めて開脚したり、閉脚するように作られている。そのためワンタッチの操作で脚の開閉を行うには、前記一定の力を与えるための操作や、その部品が付属することになり重量と外形が増大し、携帯性や収納性を損なうものであった。本案では各脚体の基台に連係させる取付け法に一考を加え、回動自由に軸支させたこと、更に脚体の一箇所に三脚の開閉を可能にするための、開脚バーを付設したステー機構を設け、ワンタッチ操作で開脚できるようにした。【選択図】図１
2006170424.tif 000002
【特許請求の範囲】
【請求項１】
基台に開閉自在に連係された三本の脚体からなる三脚において、該三脚の一脚体にステーを設けて主脚体となし、他の二本の脚体を副脚体としてなり、該ステーに付設した二本の開脚バーを各該副脚体に連結し、該ステーを介して該開脚バーをスライドさせることにより、ワンタッチで該主脚体と該副脚体間を押し広げて開脚させることを特徴とする三脚の開脚法。
【請求項２】
ステーに備えられたスリットに、連結ピンを設けた習動ノブを嵌合し、該連結ピンには二本の開脚バーの一端が夫々軸支され、該開脚バーの他端は各副脚体の側面に回動可能に軸支されてなる、請求項１に記載のワンタッチ開脚式三脚。
【請求項３】
前記ステーのスリットには適宜な位置に係止部を設け、開脚バーに連係する習動ノブを係止するとき、各脚体間の開脚巾の調整ができるように構成された、請求項１ないし２に記載のワンタッチ開脚式三脚。
【請求項４】
三脚を開脚する手段としてステーを備え、主脚体と副脚体とを連結する少なくとも一対の開脚バーが設けられた、請求項１ないし３に記載のワンタッチ開脚式三脚。
【発明の詳細な説明】
【技術分野】
【０００１】  本発明は、写真撮影や各種の測量などの際に使用する三脚式スタンド、または絵画のスケッチに用いる三脚式イーゼル、或いはオフィスでのプレゼンテーションや店舗等の様々な案内やメニューの表示等に使用され、一般的なスタンドや案内板用三脚に適応した、三脚式スタンドの開脚法と同法を用いたワンタッチ開脚式三脚に関する。
【背景技術】
【０００２】  写真撮影や地形の測量などの作業には、携帯性と移動の可能な三脚式スタンドが使用され、一般的には一作業毎に移動と再設置を繰り返しながら、夫々に作業を積み重ねるのが普通である。また絵画のスケッチ用イーゼルや店舗の案内板などは、作業の開始時に一度設置すれば、一定時間に亘り据え置きする場合が多いが、何れの場合も設置と収納がワンタッチででき、且つコンパクトで持ち運びし易いものが求められていた。【０００３】  然しながら現状では、脚の開閉はその都度に手作業に頼るものであり、移動の多い作業の場合には甚だ不便であった。殊に写真撮影などにおいて移動の多い作業を伴う場合には、カメラを載せた侭で脚は開いての移動を余儀なくされる事も多く、このような時に三脚の開閉が簡単迅速にできれば、作業能率を損なわず極めて有効なものとなる。【０００４】  三脚の脚をワンタッチで開閉可能とし、操作性を飛躍的に向上させた在来技術の三脚の開閉機構に関しては、例えば特許文献１が提案されている。然しながらこの方法では、三脚を構成する三本の脚体は連携することなく、夫々を別々に動作させるものである。従って脚体の開脚動作としては操作性の改善が見られるものの、必ずしも三本の脚体を同時に開脚することはできないため、有効なワンタッチ式の開脚手段とは言えないものであった。【０００５】
【特許文献１】特開平８−１２１６８７
【発明の開示】
【発明が解決しようとする課題】
【０００６】  本願では煩わしい操作をしないでも、三脚の三本脚をワンタッチで同時に開脚でき、更に該三脚の本体を持ち上げるだけで、三脚の接地部が地面から離れるときに自動的に閉脚させて、設置場所を頻繁に変えたり移動したりする際には、誰もが簡単に操作できるような機構を組み込むこと。そして各脚体間の連携動作を構築し、簡単に機能するように開脚バーに連動する習動ノブを配置することを特徴とする、ワンタッチ式の三脚の開脚法、及びその開脚機構を使ったワンタッチ開脚式三脚を提案することを課題とした。
【課題を解決するための手段】
【０００７】  本願では二つのことを考え、これをベースとして課題を解決しようと考えた。即ち第一は、三脚を構成する三本の脚を同時に、一箇所の操作で然も簡単なワンタッチで開脚を可能にすること。そして第二は、閉脚する際は安全で且つ瞬時に収束できるような構造にすること。【０００８】  本発明の三脚は、該三脚の主脚体に設けたステーと、該ステーのスリットから各副脚体に連結する二本の開脚バーからなり、該開脚バーをスライドさせる際、例えば習動ノブを操作するだけで該開脚バーがスライドして各脚体を押し、該主脚体と該副脚体相互の間隙を広げて、開脚できるように構成することを基本とする。【０００９】  この種のワンタッチ式による三脚開脚法の要点は、単純な操作機構を構築し、誰もが簡単に操作できるよう設計することにある。即ち特許文献１のように、各脚体を個々別々に操作して一つ一つの動作を積み重ねて設置するのではなく、一動作で完結させるように構成したものである。更にここでは、三脚の各脚体の取付け部である基台の近傍に、上記開脚用装置を設置し易くし、従来の一般的な三脚式スタンドにも応用できるように工夫したものである。【００１０】  また基台に連係する三脚の各脚体が開閉自在に係止されているから、脚体の接地部が地面から離れるとき、各脚体は自重によってその先端部を真下に向け鉛直に戻るから、三本の脚体が自動的に閉脚して中央に集合し、結束し易くなり収納と移動が極めて容易となる。また操作部は小型軽量化が可能であるから、絵画用イーゼルなどの持ち運びには好適となる。【００１１】  従って、ステーとスリット及び開脚バーの形状は、各脚体の形状に合わせて考慮されるべきであるが、各脚体が円筒形であるか角柱形であるかにより、該ステーの該スリットに嵌合する連結ピンの角度と開脚バーの取付け角度を一致させ、互いに平行移動できるように考慮することが望ましい。【００１２】  本発明では、開脚と閉脚の何れの操作においても、上述のように必要最小限の操作で完結するように構成されているから、何時でも、何処でも、誰でもが簡単且つ迅速に、ワンタッチの操作で確実に実行できるものとした。
【発明の効果】
【００１３】  本発明の三脚の開脚法または該三脚を使用すれば、簡便且つ臨機応変な三脚スタンドの設置がワンタッチでできるから、写真撮影や地形の測量及び前述の各種用途において、作業中の移動や再設置が頻繁に行われる場面で、極めて高い作業効率が得られる。【００１４】  また本発明によって三脚式スタンドの小型化が図れ、脚体の取付け部品や角度調整のための付属品等を少なくできるから、携帯性を重視する遠隔地への移動には極めて有効なものとなる。また小型化の効用は、店舗やオフィスにおける移動や収納スペースに余裕空間を生み出し、保管場所等の有効利用を促進することができる。
【発明を実施するための最良の形態】
【００１５】  現在の三脚または三脚式スタンドを大別すると、アルミ等の軽量な金属製の脚体を持つものと、木材などの天然素材製の脚体を持つものがあるが、何れの場合も夫々の脚体は伸縮が可能で、脚体の長さを個々に調節できるものが多い。本発明による三脚の開脚法の実施においては、一般的に基台の近傍に設けることができるから、前述のような脚体の素材の違いや伸縮性の有無に関係なく、何れにも適用することができるものである。【００１６】  また本発明のワンタッチ式開脚法と同法を用いた三脚は、習動ノブをスライド操作するだけで、ワンタッチで三脚を開脚して設置できること、また本体を持ち上げるだけで、脚体の先端が接地面から離れる瞬間に閉脚するから、誰もが携行し時と場所を問わず簡単に利用することができる。
【実施例】
【００１７】  以下、本発明を実施例に基づき図面を参照して説明するが、発明の要旨を逸脱しない限りにおいて、これらの例に限定されるものではない。
図１は本実施例の全体斜視図、図２は図１の正平面図、図３は図２の閉脚状態を表す正平面図である。図４は本発明の主要な機能部分を表すステーと、開脚バーの連係を示す平面図であり、図５は図４の鎖線Ａ−Ａによる切断面を矢印方向から見た拡大断面図である。【００１８】  図１及び図２では、主脚体１に設けられたステー７の上部に習動ノブ１３が位置しており、該習動ノブ１３からは開脚バー９が左右に略水平に伸び、その先端は各副脚体３の側面に支軸ｂ２１により、回動可能に軸支されていて、該各副脚体３は夫々が該開脚バー９に押されて後退し、該主脚体１と該各副脚体３の間を押し広げていることが分かる。【００１９】  即ち、主脚体１において、ステー７のスリット１１に嵌合された習動ノブ１３を、該スリット１１に沿ってスライドさせ、該ステー７の上部に移動させたとき、該習動ノブ１３に設けた連結ピン１５に付設された各開脚バー９は、ピストンの働きをして各副脚体３を押しやり、開脚させたものである。【００２０】  図３は、図２の閉脚後の形態を示すものであり、主脚体１に設けられたステー７の下部に習動ノブ１３がスライドして下がっており、左右の開脚バー９が夫々略垂直状に変化して、該各副脚体３が夫々の脚体間を閉じて中央に集合したところを示している。【００２１】  図４は、本発明の主要な機能部としてのステー７を示すものであり、図５は該ステー７における機能と役割について述べたものである。図４では、ステー７のスリット１１に複数の切り欠きを設けて係止部１７とした。これは三脚の開脚角度を変える場合に、習動ノブ１３が適宜な位置で係止できるようにするため、形状とその位置を適宜に決めればよい。【００２２】  ここでは各開脚バー９の上端部は、支軸ｂ２１により夫々の副脚体３の側面に、回動可能に軸支されているから、ステー７のスリット１１に沿って習動ノブ１３が上部へ異動したとき、該各開脚バー９はどのような角度にも対応し、該各脚体を有する三脚は適宜な開脚巾で、接地面の形状に順応させて設置することができるものである。【００２３】  以上、本発明のステー７による三脚の開脚法は、図４に示す習動ノブ１３を▲１▼、スリット１１の上部を▲２▼とし、更に開脚バー９が副脚体３に軸支した箇所を▲３▼とするとき、▲１▼、▲２▼、▲３▼を頂点とする三角形で説明することができる。即ち、閉脚した際は、辺▲１▼−▲２▼と、辺▲１▼−▲３▼がほぼ等しくあり、辺▲２▼−▲３▼は小さくなる。また▲１▼をスリット１１の上部にスライドして移動したときは、辺▲１▼−▲２▼が小さくなり、辺▲２▼−▲３▼が大きくなるから、即ち開脚状態を表すものとなる。【００２４】  図５は、図４における鎖線Ａ−Ａを切断面として、矢印方向から見た拡大断面図である。ここではステー７のスリット１１に、連結ピン１５を設けた習動ノブ１３が嵌合し、該連結ピン１５には開脚バー９が支軸ａ１９により回動自由に軸支されている。そしてここでは、連結ピン１５における開脚バー９の取付け角度が、各副脚体３に対する連結角度と適合させて、該開脚バー９が平行移動するように設けられると良い。【００２５】  本発明の、ワンタッチ開脚式三脚において、各脚体１及び３を基台５に取付ける際に開��自在に連係されることが必要であるが、一般的な材質の支軸で連結されたものであれば、本発明の特徴を発揮させるに十分であり、また開脚した各脚体１及び３の接地部が床や地面に接すると、該三脚の全重量による接触摩擦が生じて、その位置に固定するから、三脚のぐら付きや傾きの心配は不要である。【００２６】  以上に述べた通り、図１または図２に示す本発明の三脚の開脚法によれば、習動ノブ１３に手を添えて、ステー７の上部へスライド移動するだけで、該ステー７に付設した開脚バー９が各副脚体３を押し広げ、ワンタッチで開脚させるものである。また閉脚する際は、該三脚の基台付近を持ち上げて、該三脚の各脚体の接地部を地面等から引き離すだけで、ステー７に嵌合する習動ノブ１３は、スリット１１に沿って下がり該スリット１１の下部へ移動するから、図３に示すように該三脚の三本の各脚体１、３は夫々の自重により、基台の下に垂直に集合して収納し易い形状になる。斯くして本発明の三脚ならば、設置と収納がワンタッチの操作でできるものである。
【産業上の利用可能性】
【００２７】  現在、各種の三脚式スタンドが数知れない場面で使用され、その用途は様々である。最も一般的な写真撮影用の三脚は良く知られているが、殆どの場合に何時でも何処でも誰でも、臨機応変に使用できる用具とは言えないものであった。ところが本発明の三脚では、迅速な開脚と閉脚がワンタッチの操作でできるから、どのような場面においても、誰でも何時でも臨機応変な対応が可能で、撮影の貴重な場面を残す機会が増やせるに違いない。また、絵画用のイーゼルは屋外での写生や、スケッチには欠かすことのできない用具であるが、野山への持ち運びには小型で軽量なものが求められ、本発明のワンタッチ開脚式三脚を利用すれば、実に好適なイーゼルを作ることができる。更に、オフィスや店舗等で用いる案内板や、ディスプレー用のスタンドにも応用できるから、プレゼンテーションや説明会など、移動の多い用途にも好適な用具となる。
【図面の簡単な説明】
【００２８】
【図１】本発明の実施形態を示すワンタッチ開脚式三脚の全体斜視図
【図２】図１の正平面図
【図３】図２の閉脚状態を示す正平面図
【図４】ステーと開脚バーを示す平面図
【図５】図４の鎖線で切断した部分を示す拡大断面図
【符号の説明】
【００２９】１    主脚体
３    副脚体
５    基台
７    ステー
９    開脚バー
１１  スリット
１３  習動ノブ
１５  連結ピン
１７  係止部
１９  支軸ａ
２１  支軸ｂ
【図１】
2006170424.tif 000003
【図２】
2006170424.tif 000004
【図３】
2006170424.tif 000005
【図４】
2006170424.tif 000006
【図５】
2006170424.tif 000007